(57)【特許請求の範囲】
【請求項１】
放射線取扱施設内において作業者に携帯される携帯装置と、
前記作業者の被ばくを管理する中央監視装置と、
を含む被ばく管理システムであって、
前記携帯装置は、
放射線を検出して被ばく線量データを出力する線量計と、
前記作業者から生体情報を検出してその生体情報を出力する生体情報検出器と、
前記被ばく線量データ及び前記生体情報を前記中央監視装置へ送信する送信器と、
前記中央監視装置から提供される表示データを受信する受信器と、
前記受信された表示データを表示する表示器と、
を備え、
前記中央監視装置は、
前記放射線取扱施設内における前記携帯装置の位置を判別し、その位置を表す位置データを出力する位置判別部と、
前記位置データ、前記被ばく線量データ及び前記生体情報が格納されるデータ記憶部と、
前記データ記憶部に格納された前記位置データ及び前記被ばく線量データに基づいて、前記放射線取扱施設の見取図上に前記作業者の位置及び被ばく線量を表してなる第１マッピングイメージを作成し、その第１マッピングイメージを前記表示データとして前記携帯装置へ提供する第１マッピングイメージ作成部と、
前記データ記憶部に格納された前記位置データ及び前記生体情報に基づいて、前記放射線取扱施設の見取図上に前記作業者の位置及び健康状態を表してなる第３マッピングイメージを作成し、その第３マッピングイメージを前記表示データとして前記携帯装置へ提供する第３マッピングイメージ作成部と、
を備えたことを特徴とする被ばく管理システム。
【請求項２】
請求項１記載のシステムにおいて、
前記第１マッピングイメージには前記作業者の位置を表す作業者シンボルが含まれ、
前記作業者シンボルの表示態様が前記被ばく線量データに応じて変化することを特徴とする被ばく管理システム。
【請求項３】
請求項２記載のシステムにおいて、
前記放射線取扱施設内に設けられ、放射線を検出して空間線量データを出力するエリアモニタを含み、
前記第１マッピングイメージには、更に前記エリアモニタの位置を表すエリアモニタシンボルが含まれ、
前記エリアモニタシンボルの表示態様が前記空間線量データに応じて変化することを特徴とする被ばく管理システム。
【請求項４】
請求項３記載のシステムにおいて、
前記作業者シンボルの表示色が前記被ばく線量データに応じて変化し、
前記エリアモニタシンボルの表示色が前記空間線量データに応じて変化することを特徴とする被ばく管理システム。
【請求項５】
請求項１記載のシステムにおいて、
前記放射線取扱施設は複数のエリアに区分され、
前記第１マッピングイメージは各エリアごとに生成されることを特徴とする被ばく管理システム。
【請求項６】
請求項５記載のシステムにおいて、
前記携帯装置にはそれが属するエリアに対応した第１マッピングイメージが提供されることを特徴とする被ばく管理システム。
【請求項７】
請求項１記載のシステムにおいて、
前記データ記憶部に格納された前記被ばく線量データに基づいて、被ばく線量の時間変化を表す被ばく線量グラフを作成する線量グラフ作成部を備え、
前記被ばく線量グラフが前記表示データとして前記携帯装置へ提供されることを特徴とする被ばく管理システム。
【請求項８】
請求項１記載のシステムにおいて、
前記中央監視装置は、前記作業者に対して作業のための情報を提供する情報提供部を含み、
前記作業のための情報が前記表示データとして前記携帯装置へ提供されることを特徴とする被ばく管理システム。
【請求項９】
請求項１記載のシステムにおいて、
前記携帯装置は、
前記作業者の胸部に装着され、前記線量計を有する第１ユニットと、
前記作業者の所定箇所に装着され、前記第１ユニットとは別体に構成され、前記表示器を有する第２ユニットと、
で構成されたことを特徴とする被ばく管理システム。
【請求項１０】
請求項９記載のシステムにおいて、
前記所定箇所は前記作業者の腰ベルトであることを特徴とする被ばく管理システム。
【請求項１１】
請求項９記載のシステムにおいて、
前記所定箇所は前記作業者の手首であることを特徴とする被ばく管理システム。
【請求項１２】
請求項９記載のシステムにおいて、
前記所定箇所は前記作業者の頭部であることを特徴とする被ばく管理システム。
【請求項１３】
請求項１記載のシステムにおいて、
前記携帯装置は、
音声通話を行うための音声通話ユニットと、
作業現場を撮像して撮像データを出力する撮像素子と、
を含み、
作業者は、前記音声通話ユニットによって他の装置との間で音声通話を行うことが可能であり、前記撮像データを他の装置へ送信することが可能であることを特徴とする被ばく管理システム。
【請求項１４】
放射線取扱施設内において作業者に携帯される携帯装置と、
前記作業者の被ばくを管理する中央監視装置と、
を含む被ばく管理システムであって、
前記携帯装置は、
放射線を検出して被ばく線量データを出力する線量計と、
前記作業者から生体情報を検出してその生体情報を出力する生体情報検出器と、
前記被ばく線量データ及び前記生体情報を前記中央監視装置へ送信する送信器と、
前記中央監視装置から提供される表示データを受信する受信器と、
前記受信された表示データを表示する表示器と、
を備え、
前記中央監視装置は、
前記放射線取扱施設内における前記携帯装置の位置を判別し、その位置を表す位置データを出力する位置判別部と、
前記位置データ、前記被ばく線量データ及び前記生体情報が格納されるデータ記憶部と、
前記データ記憶部に格納された前記位置データ及び前記被ばく線量データに基づいて、
前記放射線取扱施設の見取図上に前記作業者の移動軌跡及びその移動軌跡上の各位置における被ばく線量を表してなる第２マッピングイメージを作成し、その第２マッピングイメージを前記表示データとして前記携帯装置へ提供する第２マッピングイメージ作成部と、
前記データ記憶部に格納された前記位置データ及び前記生体情報に基づいて、前記放射線取扱施設の見取図上に前記作業者の位置及び健康状態を表してなる第３マッピングイメージを作成し、その第３マッピングイメージを前記表示データとして前記携帯装置へ提供する第３マッピングイメージ作成部と、
を備えたことを特徴とする被ばく管理システム。
【請求項１５】
放射線取扱施設内において作業者に携帯される携帯装置と、
前記作業者の被ばくを管理する中央監視装置と、
を含む被ばく管理システムであって、
前記携帯装置は、
前記作業者から生体情報を検出してその生体情報を出力する生体情報検出器と、
前記生体情報を前記中央監視装置へ送信する送信器と、
前記中央監視装置から提供される表示データを受信する受信器と、
前記受信された表示データを表示する表示器と、
を備え、
前記中央監視装置は、
前記放射線取扱施設内における前記携帯装置の位置を判別し、その位置を表す位置データを出力する位置判別部と、
前記位置データ及び前記生体情報が格納されるデータ記憶部と、
前記データ記憶部に格納された前記位置データ及び前記生体情報に基づいて、前記放射線取扱施設の見取図上に前記作業者の位置及び健康状態を表してなる第３マッピングイメージを作成し、その第３マッピングイメージを前記表示データとして前記携帯装置へ提供する第３マッピングイメージ作成部と、
を備えたことを特徴とする被ばく管理システム。
【請求項１６】
請求項１５記載のシステムにおいて、
前記第３マッピングイメージには、前記作業者の位置を表す作業者シンボルが含まれ、
前記作業者シンボルの表示態様が前記作業者の健康状態に応じて変化することを特徴とする被ばく管理システム。
【請求項１７】
放射線取扱施設内における複数の作業者に携帯される複数の携帯装置と、
前記複数の作業者の被ばくを管理する中央監視装置と、
前記複数の携帯装置と前記中央監視装置との間に設けられた通信設備と、
を含む被ばく管理システムであって、
前記通信設備は、
前記複数の携帯装置との間で無線通信を行うために、前記放射線取扱施設内に分散的に設置された複数の基地局と、
前記複数の基地局に接続され、且つ、前記中央監視装置に接続された中継装置と、
を備え、
前記各携帯装置は、
作業者から生体情報を検出し、その生体情報を計測データを出力する計測器と、
前記計測データを前記通信設備を介して前記中央監視装置へ送信する送信器と、
前記中央監視装置から前記通信設備を介して提供された表示データを受信する受信器と、
前記受信された表示データを表示する表示器と、
を備え、
前記中央監視装置は、
前記放射線取扱施設内における前記各携帯装置の位置を判別し、その位置を表す位置データを出力する位置判別部と、
前記各作業者ごとの前記位置データ及び前記計測データが格納されるデータ記憶部と、
前記データ記憶部に格納された各作業者ごとの前記位置データ及び前記計測データに基づいて、前記放射線取扱施設の見取図上に前記各作業者の位置及び健康状態を表してなるマッピングイメージを作成し、そのマッピングイメージを前記表示データとして前記各携帯装置へ提供するマッピングイメージ作成部と、
を備えたことを特徴とする被ばく管理システム。
【発明の詳細な説明】
【０００１】
【発明の属する技術分野】
本発明は、被ばく管理システムに関し、特に、放射線取扱施設内で作業に従事する作業者の被ばく管理に関する。
【０００２】
【従来の技術】
原子力発電所、核燃料処理施設、放射線医療施設などの放射線取扱施設においては、各作業者の個人的な被ばく管理が不可欠である。特に、各作業者の被ばく管理をリアルタイムで行えるシステムが要望されている。
【０００３】
特開平１１−２４８８３９号公報には、従来の被ばく管理システムが開示されている。この従来システムは、放射線取扱施設内の複数の作業者に携帯される複数の携帯機と、複数の携帯機からのデータを収集するホスト装置とを有する。放射線取扱施設は、複数のエリア（例えば、１部屋が１エリアに相当）に区分されている。個々のエリアには１台ずつ基地局が設置され、複数の基地局と複数の携帯機との間で無線通信がなされる。複数の基地局は通信回線を介してホスト装置に接続されている。各携帯機は、ＰＨＳなどのセルラー電話方式に従った通話機能と、放射線計測（被ばく線量計測）機能とを有する。携帯機から無線送信された線量データは、その携帯機が存在しているエリア（所属エリア）に設置された基地局によって受信され、その受信された線量データがホスト装置へ伝送される。ホスト装置は、線量データを受信した基地局を判別することによって、携帯機の所属エリアを判定する。ホスト装置においては、各作業者ごとに、被ばく線量及び所属エリアが管理される。また、ホスト装置には、放射線取扱施設内に設置されたエリアモニタ及びダストモニタなどの機器が接続されている。ホスト装置が何らかの放射線異常を判定した場合、ホスト装置からアラーム信号が一部又は全部の携帯機へ送信される。アラーム信号を受けた携帯機においては、アラームメッセージが表示され、また、バイブレータが起動される。
【０００４】
【発明が解決しようとする課題】
しかしながら、上記従来システムにおいては、複数の携帯機から送信されてくる情報はホスト装置で収集され、また集中管理されるが、そのように収集された情報（あるいはそれを加工して生成される情報）は、前記のアラーム信号を除いて、各作業員にフィードバックされない。つまり、各作業員への情報提供が十分でない。
【０００５】
具体的には、上記従来システムでは、異常時の場合だけ情報（アラーム信号）が提供されているが、正常時においても積極的に情報を提供するのが望ましい。また、上記従来システムでは、各作業者に対して、単に異常の事実のみがアラーム信号として提供されるだけであり、放射線取扱施設内の現況（あるいは自己周囲の状況）に関する情報は提供されていない。更に、上記従来システムでは、各作業者の位置特定が大雑把過ぎるという点を指摘できる。加えて、上記従来システムでは、各作業者は、作業現場において、自分以外の他の作業者の被ばく状態に関する情報を一切得られず、このため、作業者相互で被ばく管理を行えず、また、異常時に他の作業員のケアを十分にできない可能性があった。
【０００６】
ところで、放射線取扱施設内における作業は、その内容如何によっては、作業者に対して、大きな精神的ストレスを与えるものである。また、異常が発生した場合には、各作業者はその異常に冷静に対処する必要があるため、各作業者が精神的なパニック状態に陥っているか否かを客観的に判断することが望まれる。しかしながら、各作業者の健康（精神）状況をリアルタイムに管理できる被ばく管理システムは未だ提供されていない。
【０００７】
なお、被ばく管理に関する特許出願として、特願平１１−３２６４８１号（出願日：平成１１年１１月１７日）がある。この特許出願には、作業者に装着される個人線量計とその個人線量計からのデータを収集する管理装置とからなるシステムが開示されている。個人線量計は、本体と頭部ユニットとで構成され、本体には放射線センサが設けられ、頭部ユニットには、位置検出器としてのＧＰＳ、通信ユニット及び撮像素子が設けられている。管理装置は、個人線量計からの位置情報及び線量情報を取得し、また撮像データを取得する。ここで、管理装置は多様なアラーム判定機能を有する。アラームが判定された場合に、管理装置から個人線量計へアラーム信号が出力される。しかしながら、この特許出願に開示されたシステムにおいても、上記特開平１１−２４８８３９号公報に開示されたシステムと同じ問題を指摘でき、すなわち、各作業員に対して十分な情報を提供できるものではない。
【０００８】
本発明は、上記従来の課題に鑑みなされたものであり、その目的は、作業者に対して、被ばく管理のための有用な情報を提供することにある。
【０００９】
本発明の他の目的は、作業者に対して、放射線取扱施設内の状況を即座に理解できる情報を提供することにある。
【００１０】
本発明の他の目的は、作業員の被ばく管理と共に健康管理を行うことにある。
【００１１】
【課題を解決するための手段】
（１）上記目的を達成するために、本発明は、放射線取扱施設内において作業者に携帯される携帯装置と、前記作業者の被ばくを管理する中央監視装置と、を含む被ばく管理システムであって、前記携帯装置は、放射線を検出して被ばく線量データを出力する線量計と、前記被ばく線量データを前記中央監視装置へ送信する送信器と、前記中央監視装置から提供される表示データを受信する受信器と、前記受信された表示データを表示する表示器と、を備え、前記中央監視装置は、前記放射線取扱施設内における前記携帯装置の位置を判別し、その位置を表す位置データを出力する位置判別部と、前記位置データ及び前記被ばく線量データが格納されるデータ記憶部と、前記データ記憶部に格納された前記位置データ及び前記被ばく線量データに基づいて、前記放射線取扱施設の見取図上に前記作業者の位置及び被ばく線量を表してなる第１マッピングイメージを作成し、その第１マッピングイメージを前記表示データとして前記携帯装置へ提供する第１マッピングイメージ作成部と、を備えたことを特徴とする。
【００１２】
上記構成によれば、作業者には携帯装置が装着される。これにより、放射線取扱施設内における作業者の移動に伴って携帯装置も移動する。携帯装置内の線量計は放射線を検出し、被ばく線量データ（線量率データ、積算線量データなど）を出力する。このデータの出力は、極めて短周期で繰り返し実行されてもよいし、被ばく線量データに変動があった場合に実行されてもよいし、中央監視装置からデータ送信リクエストが発行された場合に実行されてもよい。被ばく線量データは、携帯装置内の送信器により、中央監視装置へ向けて送信される。そのデータ送信に当たっては電波を利用するのが望ましい。なお、被ばく線量データは、必要に応じて、携帯装置内の表示器に表示される。
【００１３】
中央監視装置が有する位置判別部は、携帯装置の位置（つまり作業者の位置）を判別（特定）する。位置の判別に当たっては、公知の各種の技術を利用可能である。例えば、セルラー電話システム（ＰＨＳなど）を用いて、複数の基地局と携帯装置との間で無線通信がなされるのであれば、複数の基地局で受信された電波の電界強度を相互に比較することによって、その電波を発生した携帯装置の位置を特定できる。そして、放射線取扱施設内に、多数の基地局（多数のアンテナ）を近距離間隔で設置しておけば、位置判別の精度（分解能）を高められる。なお、位置判別部が、複数の基地局に接続された中継装置（通信制御装置）内に設けられるようにしてもよい。その場合には、その中継装置は、中央監視装置の一部機能に相当する。
【００１４】
中央監視装置は、作業者の被ばく管理を行う装置である。各時刻における位置データ及び被ばく線量データは、データ記憶部（データベース）に格納される。中央監視装置は、収集されたデータを加工し、その加工データを携帯装置へ返す機能を有している。具体的に説明すると、中央監視装置が有する第１マッピングイメージ作成手段は、上記の第１マッピングイメージを作成する。この第１マッピングイメージは、二次元（あるいは三次元）の見取図上に、作業者の位置及び被ばく線量（線量率、積算線量など）を表したものである。その第１マッピングイメージは、例えば、中央監視装置においてモニタリングされ、また、携帯装置へ伝送される。
【００１５】
携帯装置の表示器には、第１マッピングイメージが表示される。この第１マッピングイメージにより、作業者は、放射線取扱施設内における自己位置を確認した上で、自己の被ばくの程度を直感的に理解することができる。更に、例えば、第１マッピングイメージ上に、他の作業者の位置及び被ばく線量も併せて表されるならば、その第１マッピングイメージを観察することにより、他の作業者がどこで作業を行っており、またどの程度被ばくしているのか、を容易に認識できる。あるいは、複数の作業者の配置や複数の作業者の被ばく傾向などを認識することができる。よって、通常の作業時（正常時）において、作業者は、被ばく管理上、有用な情報を得ることができ、また、異常時においても、安全対策上、有用な情報を得ることができる。
【００１６】
（２）望ましくは、前記第１マッピングイメージには前記作業者の位置を表す作業者シンボルが含まれ、前記作業者シンボルの表示態様が前記被ばく線量データに応じて変化する。作業者シンボルは、図形、記号などであり、その作業者シンボルには、作業者識別子を付加するのが望ましい。また、本人のシンボルが他のシンボルから即座に識別されるようにその表示形態を定めるのが望ましい。
【００１７】
望ましくは、前記放射線取扱施設内に設けられ、放射線を検出して空間線量データを出力するエリアモニタを含み、前記第１マッピングイメージには、更に前記エリアモニタの位置を表すエリアモニタシンボルが含まれ、前記エリアモニタシンボルの表示態様が前記空間線量データに応じて変化する。この構成によれば、放射線取扱施設内における各場所の空間線量を直感的に認識でき、しかも、エリアモニタと自己との位置関係を直感的に認識できる。緊急時には避難経路を選択する上での目安にもなる。
【００１８】
望ましくは、前記作業者シンボルの表示色が前記被ばく線量データに応じて変化し、前記エリアモニタシンボルの表示色が前記空間線量データに応じて変化する。シンボルに施す着色を変化させれば、被ばく線量及び空間線量の大小を直感的に認識できる。
【００１９】
（３）望ましくは、前記放射線取扱施設は複数のエリアに区分され、前記第１マッピングイメージは各エリアごとに生成される。エリアは、フロアごとにあるいは部屋ごとに設定するようにしてもよい。望ましくは、前記携帯装置にはそれが属するエリアに対応したマッピングイメージが提供される。
【００２０】
（４）望ましくは、前記データ記憶部に格納された前記被ばく線量データに基づいて、被ばく線量の時間変化を表す被ばく線量グラフを作成する線量グラフ作成部を備え、前記被ばく線量グラフが前記表示データとして前記携帯装置へ提供される。ここで、被ばく線量グラフは、線量率グラフ、積算線量グラフなどである。
【００２１】
望ましくは、前記中央監視装置は、前記作業者に対して作業のための情報を提供する作業情報提供部を含み、前記作業のための情報が前記表示データとして前記携帯装置へ提供される。例えば、作業のための情報は、ドキュメント、画像データなどである。
【００２２】
（５）望ましくは、前記携帯装置は、前記作業者の胸部に装着され、前記線量計を有する第１ユニットと、前記作業者の所定箇所に装着され、前記第１ユニットとは別体に構成され、前記表示器を有する第２ユニットと、で構成される。
【００２３】
望ましくは、前記所定箇所は前記作業者の腰ベルトである。望ましくは、前記所定箇所は前記作業者の手首である。望ましくは、前記所定箇所は前記作業者の頭部である。
【００２４】
（６）望ましくは、前記携帯装置は、音声通話を行うための音声通話ユニットと、作業現場を撮像して撮像データを出力する撮像素子と、を含み、作業者は、前記音声通話ユニットによって他の装置との間で音声通話を行うことが可能であり、また、前記撮像データを他の装置へ送信することが可能である。ここで、他の装置には、中央監視装置、他の携帯装置、外部装置、その他の装置が含まれる。
【００２５】
（７）また、上記目的を達成するために、本発明は、放射線取扱施設内において作業者に携帯される携帯装置と、前記作業者の被ばくを管理する中央監視装置と、を含む被ばく管理システムであって、前記携帯装置は、放射線を検出して被ばく線量データを出力する線量計と、前記被ばく線量データを前記中央監視装置へ送信する送信器と、前記中央監視装置から提供される表示データを受信する受信器と、前記受信された表示データを表示する表示器と、を備え、前記中央監視装置は、前記放射線取扱施設内における前記携帯装置の位置を判別し、その位置を表す位置データを出力する位置判別部と、前記位置データ及び前記被ばく線量データが格納されるデータ記憶部と、前記データ記憶部に格納された前記位置データ及び前記被ばく線量データに基づいて、前記放射線取扱施設の見取図上に前記作業者の移動軌跡及びその移動軌跡上の各位置における被ばく線量を表してなる第２マッピングイメージを作成し、その第２マッピングイメージを前記表示データとして前記携帯装置へ提供する第２マッピングイメージ作成部と、を備えたことを特徴とする。
【００２６】
上記構成によれば、データ記憶部上には、時系列順で各時刻の位置データ及び被ばく線量データが格納される。そして、それらのデータに基づいて、第２マッピングイメージが作成される。この第２マッピングイメージは、作業者の移動軌跡と、その移動軌跡上における各位置における被ばく線量とを、見取図（模式図としてのイメージ）上に表したものである。第２マッピングイメージによれば、過去に遡って、作業者がどの位置でどの程度の被ばくをしたのかを即座に判断できる。基本的には、個々の作業者ごとに第２マッピングイメージを作成するのが望ましいが、複数の作業者の移動軌跡を同じ第２マッピングイメージに表すこともできる。
【００２７】
（８）また、上記目的を達成するために、本発明は、放射線取扱施設内において作業者に携帯される携帯装置と、前記作業者の被ばくを管理する中央監視装置と、を含む被ばく管理システムであって、前記携帯装置は、前記作業者から生体情報を検出してその生体情報を出力する生体情報検出器と、前記生体情報を前記中央監視装置へ送信する送信器と、前記中央監視装置から提供される表示データを受信する受信器と、前記受信された表示データを表示する表示器と、を備え、前記中央監視装置は、前記放射線取扱施設内における前記携帯装置の位置を判別し、その位置を表す位置データを出力する位置判別部と、前記位置データ及び前記生体情報が格納されるデータ記憶部と、前記データ記憶部に格納された前記位置データ及び前記生体情報に基づいて、前記放射線取扱施設の見取図上に前記作業者の位置及び健康状態を表してなる第３マッピングイメージを作成し、その第３マッピングイメージを前記表示データとして前記携帯装置へ提供する第３マッピングイメージ作成部と、を備えたことを特徴とする。
【００２８】
上記構成によれば、作業者の生体情報（血圧、脈拍、体温など）が検出され、その生体情報が中央監視装置へ向けて送信される。中央監視装置における第３マッピングイメージ作成部は、作業者の位置及び生体情報を見取図上に表してなる第３マッピングイメージ（生体情報マッピングイメージ）を作成する。その第３マッピングイメージは携帯装置へ提供され、その表示器に表示される。その表示により、作業者は、放射線取扱施設内における自己の所在を確認でき、また、自己の健康状態（精神状態）を自ら診断できる。更に、例えば、見取図上に他の作業員の位置及び健康状態も表されるならば、他の作業者がどこにいて、他の作業者がどのような健康状態にあるのかを把握できる。よって、必要に応じて、他の作業者のケアあるいは支援の必要性を判断できる。
【００２９】
（９）望ましくは、前記第３マッピングイメージには、前記作業者の位置を表す作業者シンボルが含まれ、前記作業者シンボルの表示態様が前記作業者の健康状態に応じて変化する。
【００３０】
（１０）また、上記目的を達成するために、本発明は、放射線取扱施設内における複数の作業者に携帯される複数の携帯装置と、前記複数の作業者の被ばくを管理する中央監視装置と、前記複数の携帯装置と前記中央監視装置との間に設けられた通信設備と、を含む被ばく管理システムであって、前記通信設備は、前記複数の携帯装置との間で無線通信を行うために、前記放射線取扱施設内に分散的に設置された複数の基地局と、前記複数の基地局に接続され、且つ、前記中央監視装置に接続された中継装置と、を備え、前記各携帯装置は、計測データを出力する線量計と、前記計測データを前記通信設備を介して前記中央監視装置へ送信する送信器と、前記中央監視装置から前記通信設備を介して提供された表示データを受信する受信器と、前記受信された表示データを表示する表示器と、を備え、前記中央監視装置は、前記放射線取扱施設内における前記各携帯装置の位置を判別し、これにより前記各作業員の位置を表す位置データを出力する位置判別部と、前記各作業者ごとの前記位置データ及び前記計測データが格納されるデータ記憶部と、前記データ記憶部に格納された各作業者ごとの前記位置データ及び前記計測データに基づいて、前記放射線取扱施設の見取図上に前記各作業者の位置及び計測結果を表してなるマッピングイメージを作成し、そのマッピングイメージを前記表示データとして前記各携帯装置へ提供するマッピングイメージ作成部と、を備えたことを特徴とする。
【００３１】
【発明の実施の形態】
以下、本発明の好適な実施形態を図面に基づいて説明する。
【００３２】
図１には、本発明に係る被ばく管理システムの好適な実施形態が示されており、図１は被ばく管理システムの概念図である。この被ばく管理システムは、例えば原子力発電所などの放射線取扱施設などに設置されるシステムである。この被ばく管理システムにより、放射線取扱施設内において作業に従事する各作業者について、個人被ばく管理及び個人健康管理がなされる。
【００３３】
図１において、本実施形態の被ばく管理システムは、複数の携帯装置１０、中央監視装置１２及び通信設備１４を有している。
【００３４】
携帯装置１０は、作業者によって携帯されるものである。この携帯装置１０は、本実施形態において、被ばく線量測定機能、生体情報測定機能、無線通信機能などの各種の機能を有している。特に、本実施形態の携帯装置１０は、携帯電話あるいは簡易型携帯電話（ＰＨＳ）としての機能を具備しており、電波を利用して通話及びデータの送受信を行える。
【００３５】
通信設備１４は、通信制御部２８と複数の基地局２０とによって構成される。ここで、基地局２０はアンテナ２２及び送受信部２４によって構成される。放射線取扱施設内には例えば５ｍ間隔で多数のアンテナ２２が設置されており、すなわち、多数のアンテナ２２がマトリックス状に配設されている。これは、携帯装置１０（すなわち作業者）の位置の特定精度（分解能）を高めるためである。ちなみに、放射線取扱施設が複数階のフロアを有する場合には、各フロアについて上述したように多数のアンテナ２２（つまり基地局２０）が設置される。
【００３６】
各基地局２０は、通信ケーブル２６を介して通信制御部２８に接続されている。通信制御部２８は、各基地局における送受信を制御する装置であり、いわゆる交換局として機能する。また、中央監視装置１２と複数の携帯装置１０との間に設けられた中継装置として機能する。
【００３７】
各作業者には、データ管理上のために、作業者ＩＤが割り当てられており、これと同様に、各携帯装置１０には携帯装置ＩＤが割り当てられている。ここで、作業者ＩＤと携帯装置ＩＤは同じものであってもよい。また、複数の基地局２０には、それぞれ基地局ＩＤが割り当てられている。
【００３８】
ここで、基地局２０と携帯装置１０との間における通信について説明する。携帯装置１０から送信される送信データは、本実施形態において、携帯装置ＩＤ、被ばく線量データ、生体情報、その他のデータなどである。もちろん、通話が行われる場合には、音声データが送信される。いずれにしても、各送信データには携帯装置ＩＤが付加され、これによって送信データの識別が可能となっている。
【００３９】
送信データは例えば一定周期で送信され、あるいは必要に応じて送信される。被ばく線量データや生体情報などを送信する場合、一定周期ごとにそれらのデータの送信を行ってもよいし、また計測データ（被ばく線量データ，生体情報など）に変化が生じた場合に、それをトリガとして、計測データの送信を行うようにしてもよい。
【００４０】
以上のように送信されたデータは、それを、受信可能な１又は複数の基地局２０によって受信される。ここで、各基地局２０の通信エリアは、互いに隣接するもの同士で部分的に重複しており、通常は、携帯装置１０から発信された電波は複数の基地局によって受波される。各基地局２０においては、アンテナ２２によって電波が受信されると、受信信号が送受信部２４を介して受信信号が通信制御部２８へ出力される。この場合に、本実施形態では、送受信部２４が受信強度（電界強度）を表すデータを受信信号に併せて通信制御部２８へ送っている。また、その際には、基地局ＩＤの情報も受信信号に付加される。
【００４１】
通信制御部２８は、１又は複数の基地局から、受信信号が伝送されてくると、その受信信号（受信データ）を中央監視装置１２へ転送する。その場合においては、携帯装置１０が存在する位置を特定できるようにするために、その受信データに対して、受信した基地局のＩＤ及び受信強度に関する情報が付加される。ただし、通信制御部２８内に携帯装置１０の位置特定機能が具備されていれば、その機能の実行により特定された位置のデータが中央監視装置１２へ伝送される。
【００４２】
なお、通信制御部２８において、いわゆるポーリング方式などによって各携帯装置１０と定期的な通信が行われる場合には、そのような通信を利用して上記同様に携帯装置１０の位置判別を行うことができる。あるいは他の手法を利用して携帯装置１０の位置を特定するようにしてもよく、その場合においては、例えばＧＰＳシステムなどを利用してもよい。
【００４３】
一方、中央監視装置１２からの送信データ（例えば表示データ）は、中央監視装置１２によって、指定された携帯装置１０が属する交信エリアをカバーする基地局２０へ送られ、送信データが電波として当該携帯装置１０へ送られる。もちろん、必要に応じて、全部の携帯装置１０に対して同一データを配信するようにしてもよい。
【００４４】
なお、図示されてはいないが、通信制御部２８は、装置間で電話通信を行うための各種の機能（交換局あるいは中継局としての機能を含む）も具備しており、携帯装置１０間において通話を行ったり、携帯装置１０と中央監視装置１２との間で通話を行ったり、あるいは公衆回線を介して外部の相手と通話を行ったりすることもできる。
【００４５】
次に、中央監視装置１２について説明する。この中央監視装置１２は、複数の携帯装置１０などから送られてきたデータを収集し、それらのデータに基づいて、作業員の個人被ばく管理や個人健康管理などを行う装置である。本実施形態においては、中央監視装置１２は、マッピングイメージを作成し、そのマッピングイメージを携帯装置１０へ提供する機能なども具備している。これについては後に詳述する。
【００４６】
監視制御部３０は、ワークステーションなどのコンピュータ及び通信処理装置などによって構成され、この監視制御部３０はＣＰＵや制御プログラムなどを有している。監視制御部３０には、ディスプレイとしての表示器３４が接続され、また、キーボードやマウスなどの入力器３２が接続されている。さらに、監視制御部３０には、通話用のスピーカ３６及びマイク３８が接続されている。なお、監視制御部３０と上記の通信制御部２８は、例えば、高速通信を行い得る専用通信回線で相互接続されている。
【００４７】
監視制御部３０に接続された記憶装置４０は、中央監視装置１２によって収集される全情報を蓄積するデータベースを構成するものである。また、本実施形態において、記憶装置４０内には各フロアごとに用意されたフロアの見取図イメージ４２が画像情報として蓄積されている。この見取図イメージ４２は後述する各種のマッピングイメージを作成する場合における背景イメージとして利用される。
【００４８】
監視制御部３０は外部のネットワーク４６にも接続されており、そのようなネットワークを介して外部装置と通信を行うことができる。さらに、本実施形態においては、図示されるように測定機器群１６が監視制御部３０に接続されており、それらの測定機器群１６から出力されるデータも前記の記憶装置４０上に格納される。
【００４９】
本実施形態において、測定機器群１６は具体的には複数のエリアモニタ１７によって構成されている。各エリアモニタ１７は放射線取扱施設内における所定箇所に設けられるものであり、具体的には、それぞれ分割されたエリアごとに設置されるものである。このエリアモニタ１７は、放射線測定器を構成するものであり、放射線を検出し、空間線量データを出力する。監視制御部３０には、更に他の放射線測定機器を接続することも可能である。
【００５０】
図１に示した被ばく管理システムにおいては、中央監視装置１２が、収集されたデータを加工して、加工データを各携帯装置１０へ配信する機能を有しており、これによって、作業者は、被ばく管理、健康管理、あるいは機器管理において、必要な情報を入手することが可能である。特に、本実施形態においては、各携帯装置１０の位置が判別されており、その判別された位置と計測データとを組み合わせてマッピングイメージを形成し、そのマッピングイメージが各携帯装置１０へ提供されている。これについては後に詳述することにする。
【００５１】
図２には、図１に示した携帯装置１０の全体構成がブロック図として示されている。携帯装置１０は、図２に示す例では、メインユニット（第１ユニット）５０、端末ユニット（第２ユニット）５２、生体計測ユニット（第３ユニット）５４、及び、ヘッドユニット（第４ユニット）５６によって構成されている。
【００５２】
まず、メインユニット５０について説明すると、アンテナ６２は、送受信部６０に接続されており、その送受信部６０によるデータの送受信は、通信制御部６４によって制御されている。その通信制御部６４はメイン制御部６６に接続されている。
【００５３】
メイン制御部６６は携帯装置１０の動作制御を実行しており、メイン制御部６６には線量計６８、表示器７０及び入力器７２などが接続されている。
【００５４】
ここで、線量計６８は放射線を検出し、被ばく線量データを出力する測定器である。また、表示器７０及び入力器７２は、それらが一体化されてタッチセンサパネルを構成している。バッテリ８０はメインユニット５０内に含まれる各構成に電力を供給するものである。また、メイン制御部６６には、送受信部７４及び送受信部７６が接続され、それらの送受信部７４，７６を介して端末ユニット５２及び生体計測ユニット５４との間における通信が行える。ここで、それらのユニット間における通信には電波、赤外線などを利用できる。もちろんケーブルによって各ユニット間を接続するようにしてもよい。
【００５５】
端末ユニット５２においては、送受信部８２によって、上記の送受信部７４との間におけるワイヤレス通信がなされる。送受信部８２には、端末制御部８４が接続されている。この端末制御部８４は、端末ユニット５２の動作制御を行うユニットである。端末制御部８４には、表示器８６及び入力器８８が接続され、それらはタッチセンサパネルを構成している。バッテリ９０は端末ユニット５２内における各構成に電力を供給する電源として機能する。
【００５６】
この端末ユニット５２は、いわゆる携帯情報端末（ＰＤＡ）として機能するものであり、本実施形態においては、メインユニット５０とは別体に構成されており、その表示器８６には図１に示した中央監視装置１２から送信される各種の表示データが表示され、特にマッピングイメージが表示される。
【００５７】
生体計測ユニット５４において、伝送制御部９８には血圧センサ９２、脈拍センサ９４及び体温センサ９６が接続されている。それらのセンサ９２，９４，９６はそれぞれ生体情報として血圧、脈拍、体温を測定するためのものである。それらの計測されたセンサ情報は伝送制御部９８に送られ、その伝送制御部９８を介してメインユニット５０へ送信される。具体的には、生体計測ユニット５４内には、送受信部１００が設けられ、その送受信部１００と上記の送受信部７６との間でワイヤレス通信がなされる。バッテリ１０２は生体計測ユニット５４内における各構成に電力を供給する電源として機能する。もちろん、上記のセンサ以外のセンサを設けるようにしてもよい。
【００５８】
ヘッドユニット５６は、本実施形態において作業者の頭部に装着されたユニットである。ＣＣＤカメラ１０６は作業現場を撮像するための装置であり、そこから出力される画像データはメインユニット５０へ出力されている。スピーカ１０８及びマイク１１０は通話を行うための設備である。
【００５９】
メインユニット５０内のメイン制御部６６は、以上のような各種のデータを受け取り、それを中央監視装置１２に向けて送信する制御を実行する。また、中央監視装置１２から送信されてきたデータがメイン制御部６６によって受け取られると、必要に応じて、そのメイン制御部６６で所定の処理を経た後に、受信されたデータが例えば端末ユニット５２へ転送される。ちなみに、メイン制御部６６はＣＰＵ及び制御プログラムなどによって構成されるマイコンであってもよい。
【００６０】
次に、図３乃至図８を用いて携帯装置１０の構成例について説明する。
【００６１】
図３及び図４には、携帯装置１０の第１構成例が示されている。図３において、作業者の頭部にはヘッドユニット５６が設けられている。また、作業者の胸部にはメインユニット５０が装着されており、具体的には作業者の衣服のポケット内にメインユニット５０が差し込まれている。その場合において、少なくともアンテナ及び放射線センサについてはポケット外に位置しているのが望ましい。
【００６２】
符号５２Ａは端末ユニットの第１例を示している。この端末ユニット５２Ａは、図４に示されるように、作業者の腰ベルト１１２に着脱自在に装着されるものである。具体的に説明すると、端末ユニット５２Ａは、本体パネル１１４とベースカバー１１６とを有し、それらはヒンジ部１１８を介して連結されている。すなわち、ベースカバー１１６に対して本体パネル１１４が開閉自在に構成されており、ベースカバー１１６に対して本体パネル１１４を閉じた状態においては、本体パネル１１４の表示画面が物理的な衝撃から保護される。一方、本体パネル１１４の表示画面を観察する場合には、ベースカバー１１６に対して本体パネル１１４が開かれる。ちなみに、べースカバー１１６にはクリップ１２０が設けられ、そのクリップを利用して、端末ユニット５２Ａが腰ベルト１１２に着脱自在に装着される。
【００６３】
図５及び図６には、携帯装置１０の第２構成例が示されている。図５においてヘッドユニット５６は作業者の頭部に設けられ、メインユニット５０は作業者の胸部に設けられている。一方、符号５２Ｂは、端末ユニットの第２例を示しており、この端末ユニット５２Ｂは、図６に示されるように、作業者の腕、特に手首付近に着脱自在に装着される。図６において、端末ユニット５２Ｂは本体１２２、表示パネル１２４及びリストベルト１２０によって構成される。本体１２２と表示パネル１２４はヒンジ部１２６によって連結されており、本体１２２に対して表示パネル１２４は開閉自在である。すなわち、表示パネル１２４を開いた状態においては、そこに設けられた表示画面を観察することができ、一方、表示パネル１２４を閉じた状態では、表示画面が物理的な衝撃から保護される。
【００６４】
図７及び図８には端末装置１０の第３構成例が示されている。図７において、作業者の頭部にはヘッドユニット５６が設けられ、作業者の胸部にはメインユニット５０が設けられている。ここで、符号５２Ｃは、端末ユニットの第３例を示しており、図８に示すように、端末ユニット５２Ｃはヘッドマウントタイプを構成している。ちなみに、図８において、図７に示したヘッドユニット５６については図示省略されている。
【００６５】
図８において、ヘルメット１２８には、本体１３０が着脱自在に設けられ、その本体１３０にはヒンジ部１３４を介して表示パネル１３２が取付けられている。この表示パネル１３２は作業者の一方の目を覆う位置に設けられ、ヒンジ部１３４を回転軸として開閉自在である。すなわち、表示パネル１３２を作業者の片目前方に位置決めした状態では、表示パネル１３２の表示画面に表示される画像を間近で観察することができ、一方、そのような観察が不要な場合には、表示パネル１３２を目から遠ざけて開くことによって、作業中における十分な視野を確保できる。
【００６６】
図３乃至図８に示した各種のタイプはいずれも例示であって、これ以外にも各種の携帯装置１０を構成することができる。いずれにしても、少なくともメインユニット５０と端末ユニット５２とが別体に構成されるのが望ましく、すなわち作業中においても表示画面を見やすいように端末ユニット５２の配置に工夫を施すのが望ましい。これによって、作業しながら情報を視覚的に入手することができるという利点がある。メインユニット５０は作業者の胸部に装着されるため、法令で定められた適切な位置において線量計測を行うことができ、またアンテナを比較的高い位置に常に位置決めできるという利点がある。また、ヘッドユニット５６が設けられ、通話に際して、両手を解放することができるので、その意味においても作業性を向上できるという利点がある。加えて、本実施形態においては、ヘッドユニット５６にＣＣＤカメラが搭載されているため、作業者が作業現場において簡便に撮像を行うことができ、そのような撮像された画像データを速やかに中央監視装置へ送信することも可能である。
【００６７】
図９には、図２に示した生体計測ユニット５４の一例が示されている。符号１４０は作業者の腕の断面を表しており、具体的には手首付近に生体計測ユニット５４が設けられる。この生体計測ユニット５４は本体１４４及びリストバンド１４２を有し、リストバンド１４２を手首に巻き付けることによってその弾性力をもって本体１４４を腕に装着させることができる。本体１４４の生体側、具体的には生体表面に接触する箇所には複数のセンサが設けられている。すなわち血圧センサ９２、脈拍センサ９４及び体温センサ９６が設けられている。ここで、血圧センサ９２及び脈拍センサ９４は、単一の素子によって構成されており、その素子によって血圧及び脈拍の両者が計測されている。それ自体は周知の構成である。本体１４４内には電子回路基板１４６が設けられている。なお符号１４８はアンテナを示している。ちなみに、例えば図５に示したようなタイプの端末ユニットが設けられる場合には、一方の腕に端末ユニット５２Ｂを設け、他方の腕に生体計測ユニット５４を設けるのが望ましい。
【００６８】
次に、図１０を用いて図１に示した監視制御部３０が有する各種の機能について説明する。
【００６９】
図１０には、監視制御部３０の各機能がブロックとして表されている。
【００７０】
位置特定モジュール１５０は、受信データに付加されてくる基地局ＩＤ及び受信強度の情報に基づいて、当該データを発信した携帯装置１０の位置、すなわち、放射線取扱施設内における作業者の位置を特定するモジュールである。例えば、一つの基地局のみによって電波の受信がなされた場合には、その基地局２０の交信エリアが作業者の位置として特定され、複数の基地局によって電波の受信がなされた場合には、それらの受信強度を互いに比較することによって携帯装置１０の位置を精度良く特定することができる。特定された位置データは図１に示した記憶装置４０上に格納される。
【００７１】
被ばく管理テーブル作成モジュール１５２は、後に図１１を用いて説明する被ばく管理テーブルを作成するものである。また、被ばく線量グラフ作成モジュール１５４は、後に図１９を用いて説明する被ばく線量グラフを作成するモジュールである。さらに、第１マッピングイメージ作成モジュール１５６は、後に図１２を用いて説明する第１マッピングイメージを作成するものである。
【００７２】
被ばく経過テーブル作成モジュール１５８は、後に図１３を用いて説明する被ばく経過テーブルを作成するものであり、第２マッピングイメージ作成モジュール１６０は後に図１４を用いて説明する第２マッピングイメージを作成するものである。健康管理テーブル作成モジュール１６２は、後に図１５を用いて説明する健康管理テーブルを作成するものであり、健康グラフ作成モジュール１６４は後に図２２を用いて説明する健康グラフを作成するものである。第３マッピングイメージ作成モジュール１６６は後に図１６を用いて説明する第３マッピングイメージを作成するモジュールである。
【００７３】
通話管理モジュール１６８は監視制御部３０と携帯装置１０との間で通話を行う場合にその通話制御を行うモジュールである。電子メール制御モジュール１７０は、監視制御部３０から携帯装置１０へ電子メールを送信したり、携帯装置１０から電子メールを受信したりする場合にその送受信制御を実行するサーバーである。ちなみに、電子メールに対して、作業指示が記述されたドキュメントファイルや画像データファイルなどを添付して携帯装置１０側へ送信することもできる。
【００７４】
データ管理モジュール１７２は、図１に示した記憶装置４０上における各種のデータ管理を実行するモジュールであり、アラーム判定モジュール１７４は、各作業員についての個人被ばくについてアラーム判定を行うモジュールである。体調判定モジュール１７８は、上述した複数の生体情報に基づいて、各作業員ごとに健康状態（精神状態）を判別するモジュールである。もちろん、図１０に示される各モジュールは代表的な機能を象徴するものであり、これ以外にも各種の機能が具備されているが、図１０においてはそれらが図示省略されている。
【００７５】
図１１には、図１０に示した被ばく管理テーブル作成モジュール１５２によって作成される被ばく管理テーブル１８１が示されている。この被ばく管理テーブル１８１は、各作業員ごとに被ばく線量や状況を管理するためのテーブルであり、図１に示した中央監視装置１２における表示器３４に表示されるものである。
【００７６】
ここで、符号１８２は作業者ＩＤを示しており、これは携帯装置ＩＤにも相当する。符号１８４は各作業者の被ばく線量を示しており、具体的には積算線量を示している。
【００７７】
符号１８６で示される状況には、この例において、作業者が存在するフロアの番号、被ばくの度合い（高／中／低）、アラーム発生の有無などの情報が記述される。なお、符号１８８はカーソルを示しており、いずれかの作業者を選択することによって、より詳細な情報を得ることもできる。
【００７８】
各作業者ＩＤの色表示１８２Ａは、各作業者の被ばく量に応じて可変設定される。具体的には、たとえば、第１色から第２色までの複数段階の表示色が被ばく量に対応づけられ、作業者ごとに被ばく量に応じた色表示１８２Ａが選択される。この場合において、青、シアン、緑、黄、オレンジ、赤といった一連の色相変化を利用するようにしてもよい。
【００７９】
図１２には、図１０に示した第１マッピングイメージ作成モジュール１５６によって作成される第１マッピングイメージ１８９が示されている。この第１マッピングイメージ１８９は、図１に示した中央監視装置１２の表示器３４に表示され、また、携帯装置からリクエストがあった場合に、そのリクエストを発行した携帯装置１０に対して提供されるものである。
【００８０】
ちなみに、この第１マッピングイメージ１８９は放射線取扱施設内における各フロアごとに作成される。この第１マッピングイメージ１８９の背景イメージは、図１に示した記憶装置４０内に格納された見取図イメージ４２である。この見取図イメージはフロアの構造を模式的に示したものである。その見取図イメージ４２上には、各作業者ごとに作業者シンボル１９０が合成表示される。作業者シンボル１９０は、特定の形態をもったシンボルであり、その作業者シンボル１９０には作業者ＩＤ１９２が付記される。作業者シンボル１９０には、作業者の被ばく量に応じた着色が施され、すなわち、符号１９０Ａで示されるように、被ばく量に応じた色表示がなされる。ここで、その色表示は符号２００によって示されるカラーバーの内容に基づいてなされ、すなわち例えば青から赤までの各色相が被ばく量に対応付けられている。
【００８１】
ここで、見取図イメージ４２上における各作業者の位置は、上述したように位置特定モジュール１５０によって特定されたものである。すなわち、本実施形態においては各作業者についてその位置を常にモニタリング可能であるため、見取図イメージ４２上において各作業者の存在場所を表現することができ、しかも各作業者ごとに線量情報が取得されているため、それらの情報を見取図イメージ４２上に反映させることができる。符号１９４はエリアモニタを表すシンボルを示しており、そのシンボル１９４にはエリアモニタＩＤ１９６が付記される。エリアモニタのシンボル１９４には着色が施され、すなわちその表示色１９４Ａは当該エリアモニタによって計測された空間線量率を示している。この場合においては、カラーバー２００に従って、空間線量率と色相とが対応づけられる。
【００８２】
以上のように、見取図イメージ４２上に複数のシンボルを合成することにより第１マッピングイメージ１８９が構成される。ちなみに、いずれかの携帯装置１０に対して第１マッピングイメージ１８９を提供する場合には、その携帯装置１０を携帯している作業者本人を識別するために、本人に相当するシンボルに対して特定の表示処理がなされ、図１２に示す例では、本人のシンボルに対して本人マーカー１９８が付加されている。このような本人マーカー１９８によって現在自分が放射線取扱施設内のどの箇所に存在し、また周囲の作業者がどの場所で作業を行っており、しかも本人及び他の作業者の被ばくの程度がどのくらいなのかを直感的に理解することができる。さらに、エリアモニタのシンボル１９４の表示色から、各エリアごとの空間線量率についても直感的に認識することができ、被ばく管理をより効果的、効率的に行えるという利点がある。さらに、緊急事態などが発生した場合に、各作業者は第１マッピングイメージ上において、現在、放射線取扱施設内がどのような状況にあるのかを一目瞭然に把握することができるので、退避管理、安全管理を向上できるという利点がある。なお、中央監視装置１２においては、たとえば、各フロアごとの第１マッピングイメージ１８９と図１１に示した被ばく管理テーブル１８１とを同一画面上に表示させるようにしてもよい。
【００８３】
次に、図１３には、図１０に示した被ばく経過テーブル作成モジュール１５８によって作成される被ばく経過テーブル２０２が示されている。この被ばく経過テーブル２０２は各作業者ごとに作成されるものであり、図１３においては、選択された作業者についてのものが示されている。この被ばく経過テーブル２０２は本実施形態において中央監視装置１２に設けられた表示器３４上に表示される。
【００８４】
符号２０４は、作業者が移動した経路上の各位置の識別子を表している。符号２０６は各位置における被ばく量を表しており、各期間ごとの積算線量に相当する。符号２０８で示される状況は、作業者が存在していたフロア、作業者の被ばく程度、などが記述されたものである。符号２１０で示す時刻は、個々の位置に当該作業者が着いた時間を示しているので、個々の位置に作業者がいた時間も容易に分かる。この被ばく経過テーブル２０２においても、図１１に示した被ばく管理テーブル１８１と同様に、各位置２０４の升目が着色されており、すなわちその表示色２０４Ａが個々の位置における作業者の被ばくの程度を表している。
【００８５】
図１４には、図１０に示した第２マッピングイメージ作成モジュール１６０によって作成される第２マッピングイメージ２１２が示されている。この第２マッピングイメージ２１２は、図１に示した中央監視装置１２の表示器３４上に表示され、また、リクエストに応じて、携帯装置１０に対して提供されるものである。図１４に示す例では、ある一人の作業者についての第２マッピングイメージ２１２が示されているが、もちろん複数の作業者についての被ばく経過を合成した第２マッピングイメージを構成することもできる。
【００８６】
図１４において、フロアの見取図イメージ４２上には、複数の位置シンボル２１４が表されており、各位置シンボル２１４は、作業者の各時刻における位置を表している。ここで、符号２１６は、位置シンボル２１４に隣接して付された位置番号を示している。位置シンボル２１４には着色が施され、すなわちその表示色２１４Ａは各位置における作業者の被ばく程度を表している。この場合において、その表示色と被ばく量との対応関係はカラーバー２００によって表されており、すなわち例えば青から赤に至るまでの複数の色相がそれぞれ各段階の被ばく量に対応付けられている。
【００８７】
符号２１８は、ある位置からある位置への作業者の移動を表す移動ベクトルである。また、符号１９８は現在位置を表すマーカーである。
【００８８】
以上のように、このような第２マッピングイメージによれば、選択された作業者について、その者が今までどのような経路を移動してきたかを一目瞭然に把握することができ、しかも各位置における被ばくの程度を直感的に理解できるので、様々な被ばく管理を行うことが可能となる。もちろん、複数のフロアにまたがって作業者が移動した場合には、各フロアごとに第２マッピングイメージが作成され、それぞれの第２マッピングイメージ上に、図１４と同様の軌跡が描かれることになる。
【００８９】
なお、いずれかの携帯装置１０から第２マッピングイメージ２１２の取得要求があった場合には、その携帯装置１０を所持している作業者が特定され、当該作業者についての第２マッピングイメージ２１２が作成され、それが取得要求を発行した携帯装置１０へ配信される。
【００９０】
次に、図１５には、図１０に示した健康管理テーブル作成モジュール１６２によって作成される健康管理テーブル２２０が示されている。符号２２２は、作業者ＩＤを示しており、各ＩＤに対しては、着色が施され、その場合に表示色２２２Ａの色相は被ばく程度を表している。符号２２４は被ばく線量を表しており、符号２２６は体温を表している。また、符号２２８は１分間の心拍数を表しており、符号２３０は血圧を表している。この場合において血圧は最高血圧であるが、もちろん最高血圧と最低血圧の両者を表示するようにしてもよい。符号２３２は、図１０に示した体調判定モジュール１７８によって判定された各作業者ごとの健康状態を表している。図１５に示す例では、３種類のシンボルが使い分けられており、すなわち良好状態を示すシンボルと、作業を中断して退避すべき状態を示すシンボルと、援助が必要となっている状態を示すシンボルとが定められている。これについては図１６において符号２３６によって示されている。
【００９１】
図１０に示した体調判定モジュール１７８は、被ばく線量、体温、心拍数、血圧などの情報を総合勘案し、各作業者の健康状態を総合的に診断する。この場合において、上述のように複数の生体情報及び線量情報が参照されているため、よりその判断精度を高めることができ、特に、作業者が強いストレスを感じていたり、パニック状態に陥っていたりするなどの状況を的確に判断できるという利点がある。
【００９２】
図１５に示される健康管理テーブル２２０は、図１に示した中央監視装置１２における表示器３４に表示され、この場合においては、その健康管理テーブル２２０と共に各フロアごとの第３マッピングテーブルも合わせて表示される。これについて以下に説明する。
【００９３】
図１６には図１０に示した第３マッピングテーブル作成モジュール１６６によって作成された第３マッピングイメージ２３４が示されている。この第３マッピングイメージ２３４は、フロアの見取図イメージ４２上に各作業者ごとに作業者シンボル２３７を表したものである。作業者シンボル２３７は作業者の位置を表すと共に、その形態によって当該作業者の健康状態を表示している。作業者シンボル２３７の形態としては、符号２３６に示されるように３段階に対応したものが用意されている。よって、シンボルの形態を参照することによって、各作業者が現在どのような健康状態にあるのかを直感的に理解することができ、必要に応じて他の作業者のケアを行うことができる。
【００９４】
ちなみに、第３マッピングイメージ２３４は、図１に示した中央監視装置１２の表示器３４上に表示されると共に、携帯装置からの取得要求に応じて作成され、当該携帯装置１０へ配信される。
【００９５】
次に、図１７乃至図２７を用いて、図１に示した携帯装置１０が有する各種の機能について説明する。ちなみに、図１７乃至図２７は図２の端末ユニット５２に表示される表示画面の内容を表している。
【００９６】
図１７には表示画面にメインメニュー２４０が表示された状態が示されている。表示画面の上部にはヘッダー情報２３８が表示され、そのヘッダー情報２３８は、被ばく線量、生体情報、健康状態などを表す情報によって構成されている。
これらのヘッダー情報は本人のものである。
【００９７】
メインメニュー２４０は、この例において、４つのアイテムによって構成されており、具体的には、「放射線管理情報」、「健康管理情報」、「通話情報」、「受信情報」によって構成される。以下に、それぞれのアイテムを選択した場合の動作について説明する。
【００９８】
まず、図１７の符号２４２に示されるように、「放射線管理情報」を選択すると、図１８に示すサブメニュー２４４が表示される。ここで、サブメニュー２４４は、「本人グラフ」、「第１マッピングイメージ」、「第２マッピングイメージ」の３つのアイテムによって構成される。符号２４６で示されるように、「本人グラフ」を選択すると、図１９に示されるような被ばく線量グラフ２４８が表示される。ここで、被ばく線量グラフ２４８は本人のものであり、線量率グラフ２４８Ａ及び積算線量グラフ２４８Ｂによって構成される。これらのグラフは図１０に示した被ばく線量グラフ作成モジュール１５４によって作成されたものである。
【００９９】
図示の例では、本人の被ばく線量グラフ２４８のみが示されているが、もちろん他の作業者について被ばく線量グラフが表示されるようにしてもよい。
【０１００】
図１８において、サブメニュー２４４上において「第１マッピングイメージ」を選択すると、図１２で示したような第１マッピングイメージ１８９が表示される。具体的には、携帯装置１０から中央監視装置１２へ第１マッピングイメージの作成要求が発行され、一方、中央監視装置１２から提供された第１マッピングイメージが当該携帯装置１０によって受信され、その受信された第１マッピングイメージが当該携帯装置上において表示される。
【０１０１】
上記と同様に、図１８に示すサブメニュー２４４において「第２マッピングイメージ」を選択すると、その本人について図１４で示したような第２マッピングイメージが中央監視装置１２において作成され、その作成された第２マッピングイメージが当該携帯装置上において表示される。
【０１０２】
次に、図１７において、メインメニュー上で「健康管理情報」が選択されると、図２０に示されるようなサブメニュー２５０が表示される。
【０１０３】
図２０において、サブメニュー２５０は「グラフ」及び「第３マッピングイメージ」を含む。ここで、符号２５２で示すように「グラフ」を選択すると、図２１に示すようなアイコン群２５４が表示される。アイコン群２５４は複数のアイコン２５６からなり、それらのアイコン２５６は、本人を特定するアイコンと他の作業者を特定する複数のアイコンとで構成される。
【０１０４】
ここで、本人のアイコンを選択すると、図２２に示されるように、本人について生体情報グラフ２５８が表示される。その生体情報グラフ２５８は図１０に示した健康グラフ作成モジュール１６４によって作成されるものである。生体情報グラフ２５８は、この例において、体温グラフ２５８Ａ、脈拍グラフ２５８Ｂ及び血圧グラフ２５８Ｃによって構成されている。もちろん、図２１において、他の作業者のアイコンを選択した場合には、当該選択された作業者について上記同様に生体情報グラフを表示させることができる。ちなみに、プライバシーなどが問題となる場合には、他人の情報を見得る権限を管理するようにすればよい。一方、図２０において、サブメニュー２５０上から「第３マッピングイメージ」を選択すると、図１６に示したような第３マッピングイメージが表示される。
【０１０５】
次に、図１７において、メインメニュー２４０上から「通話情報」を選択すると、図２３に示されるようなアイコン群２５９が表示される。このアイコン群２５９は複数のアイコン２６０によって構成され、それらのアイコン２６０は本人を特定するアイコンと他の作業者を特定する複数のアイコンとからなるものである。ここで、各アイコンの表示形態を確認することにより、個々の作業者において通話が可能であるか否かなどの情報を入手することができる。また、このような表示形態を利用して、他の作業者が通話中であるか否かの確認を行うようにしてもよい。
【０１０６】
図１７において、メインメニュー２４０上から「受信情報」を選択すると、図２４に示されるようなメールリスト２６２が表示される。メールリスト２６２を構成する各アイテムは各受信メールに対応しており、メールリスト２６２上には、各受信メールの日付や時刻などが記述されている。もちろん、メールのヘッダー情報などを表示させるようにしてもよい。メールリスト２６２上から、符号２６４で示されるように、特定のメールを選択すると、そこに記述あるいは添付されたファイルの内容を表示させることができ、具体的には、例えば図２５に示されるように、作業指示２６６を表示することができる。この作業指示２６６は図１に示した中央監視装置１２から特定の作業者に向けて出されたドキュメントに相当するものである。また、図２６に示されるように、メールリスト２６２上において、符号２６８で示すように、いずれかのメールを選択すると、図２７の符号２７０に示されるように、電子メールに添付された画像ファイルの内容を表示させることもできる。この場合において、その画像は他の作業者によって撮像された他の作業現場の撮像画像などである。
【０１０７】
もちろん、以上においてはメールの受信について説明したが、携帯装置１０から中央監視装置１２へ電子メールを送信したりあるいは他の作業者に対して電子メールを送信したりすることもできる。
【０１０８】
以上説明したように、本実施形態に係る被ばく管理システムにおいては、複数の携帯装置から収集された各種のデータを中央監視装置１２において一括管理し、それらのデータに基づいて作成されたイメージなどを各携帯装置１０へ配信することができ、特に、上述したいくつかのマッピングイメージとして情報の提供を行えるため、各作業者は自己が存在している位置との関係から周囲の状況を即座に把握することができるという利点がある。また、被ばく管理に伴って健康管理も行えるため、作業の健全性、安全性を向上できるという利点がある。
【０１０９】
【発明の効果】
以上説明したように、本発明によれば、作業者に対して被ばく管理のための情報を提供することができ、特に作業者に対して放射線取扱施設内の状況を即座に理解可能な情報を提供することができる。
【図面の簡単な説明】
【図１】  本発明に係る被ばく管理システムの好適な実施形態を示す概念図である。
【図２】  図１に示す携帯装置の構成例を示すブロック図である。
【図３】  携帯装置の第１構成例を示す図である。
【図４】  図３に示す端末ユニットの斜視図である。
【図５】  図１に示した携帯装置の第２構成例を示す図である。
【図６】  図５に示した端末ユニットの斜視図である。
【図７】  図１に示した携帯装置の第３構成例を示す図である。
【図８】  図７に示した端末ユニットの斜視図である。
【図９】  生体計測ユニットの一例を示す図である。
【図１０】  監視制御部が有する機能を表す機能ブロック図である。
【図１１】  被ばく管理テーブルを示す図である。
【図１２】  第１マッピングイメージを示す図である。
【図１３】  被ばく管理テーブルを示す図である。
【図１４】  第２マッピングイメージを示す図である。
【図１５】  健康管理テーブルを示す図である。
【図１６】  第３マッピングイメージを示す図である。
【図１７】  メインメニューを示す図である。
【図１８】  サブメニューを示す図である。
【図１９】  被ばく線量グラフを示す図である。
【図２０】  サブメニューを示す図である。
【図２１】  アイコン群の表示を示す図である。
【図２２】  生体情報グラフを示す図である。
【図２３】  アイコン群を示す図である。
【図２４】  メールリストを示す図である。
【図２５】  作業指示の表示を示す図である。
【図２６】  メールリストを示す図である。
【図２７】  画像表示を示す図である。
【符号の説明】
１０  携帯装置、１２  中央監視装置、１４  通信設備、１７  エリアモニタ、２０  基地局、２８  通信制御部、３０  監視制御部、４０  記憶装置。
【図１】
0004639349.tif 000002
【図２】
0004639349.tif 000003
【図３】
0004639349.tif 000004
【図４】
0004639349.tif 000005
【図５】
0004639349.tif 000006
【図６】
0004639349.tif 000007
【図７】
0004639349.tif 000008
【図８】
0004639349.tif 000009
【図９】
0004639349.tif 000010
【図１０】
0004639349.tif 000011
【図１１】
0004639349.tif 000012
【図１２】
0004639349.tif 000013
【図１３】
0004639349.tif 000014
【図１４】
0004639349.tif 000015
【図１５】
0004639349.tif 000016
【図１６】
0004639349.tif 000017
【図１７】
0004639349.tif 000018
【図１８】
0004639349.tif 000019
【図１９】
0004639349.tif 000020
【図２０】
0004639349.tif 000021
【図２１】
0004639349.tif 000022
【図２２】
0004639349.tif 000023
【図２３】
0004639349.tif 000024
【図２４】
0004639349.tif 000025
【図２５】
0004639349.tif 000026
【図２６】
0004639349.tif 000027
【図２７】
0004639349.tif 000028